(57)【要約】【課題】ワンタッチでコンパクトに折畳むことができる保冷保温体を提供する。【解決手段】保冷保温体１０の立方体部分１０Ａは柔軟シートからなる４つの正方形状断熱パネル１１、１２、１３、１４を有する四角筒状体からなる。断熱パネル１１、１２、１３、１４の対角線上に折畳線１１ａ、１２ａ、１３ａ、１４ａが設けられている。折畳線１１ａ、１２ａ、１３ａ、１４ａは互いに交わることはなく、折畳線１１ａ、１２ａ、１３ａ、１４ａに沿って折畳むことにより立方体部分１０Ａが平坦状に折畳まれる。【選択図】図１
2017206303.tif 000002
【特許請求の範囲】
【請求項１】
対向する一対の開口を有する立方体部分を備え、
この立方体部分は柔軟シートからなる４つの正方形状断熱パネルを含む四角筒状体を有し、
各断熱パネルは当該断熱パネルの対角線上に形成された折畳線を有し、
各断熱パネルの折畳線は互いに交わることはなく、各断熱パネルを折畳線に沿って折畳むことにより前記立方体部分が平坦状に折畳まれる、保冷保温体。
【請求項２】
立方体部分の一側開口に断熱材が配置されている、請求項１記載の保冷保温体。
【請求項３】
各断熱パネルは、隣接する断熱パネルとの境界が、ジッパーにより開閉自在となる、請求項１または２記載の保冷保温体。
【発明の詳細な説明】
【技術分野】
【０００１】
本発明は、容易かつ簡単に折畳むことができる、保冷保温体に関する。
【背景技術】
【０００２】
従来より、折畳自在となる保冷保温体が知られている。このような保冷保温体は、保冷保温すべき荷物を上方から覆うようにして用いられる。
【０００３】
ところで、このような保冷保温体は、柔軟シートからなる複数の断熱パネルを含み、各断熱パネルには折畳線が設けられて、この折畳線を介して保冷保温体を折畳むことができる。しかしながら、保冷保温体を折畳む際、各断熱パネル毎に何回か折畳む必要があり、折畳み作業が煩雑となっている。
【先行技術文献】
【特許文献】
【０００４】
【特許文献１】実開昭６２−３３５９２号
【発明の概要】
【発明が解決しようとする課題】
【０００５】
本発明は、このような点を考慮してなされたものであり、ワンタッチで容易に折畳むことができる保冷保温体を提供することを目的とする。
【課題を解決するための手段】
【０００６】
本発明は、対向する一対の開口を有する立方体部分を備え、この立方体部分は柔軟シートからなる４つの正方形状断熱パネルを含む四角筒状体を有し、各断熱パネルは当該断熱パネルの対角線上に形成された折畳線を有し、各断熱パネルの折畳線は互いに交わることはなく、各断熱パネルを折畳線に沿って折畳むことにより前記立方体部分が平坦状に折畳まれる、保冷保温体である。
【０００７】
本発明は、立方体部分の一側開口に断熱材が配置されている、保冷保温体である。
【０００８】
本発明は、各断熱パネルは、隣接する断熱パネルとの境界が、ジッパーにより開閉自在となる、保冷保温体である。
【発明の効果】
【０００９】
本発明によれば、保冷保温体の立方体部分を各断熱パネルの折畳線に沿ってワンタッチで折畳むことができる。
【図面の簡単な説明】
【００１０】
【図１】図１は、本発明の実施の形態による保冷保温体を示す斜視図である。
【図２】図２は、折畳まれた保冷保温体を示す斜視図である。
【図３】図３は、パレット上の荷物を覆う保冷保温体を示す斜視図である。
【図４】図４（ａ）（ｂ）は、保冷保温体を構成する断熱パネルの構造を示す断面図である。
【図５】図５（ａ）（ｂ）は、ぬい目の変形例を示す図である。
【発明を実施するための形態】
【００１１】
＜本発明の実施の形態＞
以下、図面を参照して、本発明の実施の形態について説明する。
【００１２】
図１は、本発明の第１の実施の形態による保冷保温体を示す斜視図であって拡げた状態を示す図である。図２は、折畳まれた保冷保温体を示す斜視図、図３はパレット上の荷物を覆う保冷保温体を示す斜視図である。図４（ａ）（ｂ）は保冷保温体を構成する断熱パネルを示す側面図である。
【００１３】
図１乃至図３に示すように、本実施の形態による保冷保温体１０は、正面パネル１１と、左面パネル１２と、奥面パネル１３と、右面パネル１４とを有する立方体部分１０Ａを備えている（これらのパネル１１、１２、１３、１４の共通名称として「側面用パネル」と言う）。これら４つの正面パネル１１、左面パネル１２、奥面パネル１３、右面パネル１４はいずれも柔軟シートからなる断熱パネルを含む。
【００１４】
次に正面パネル１１、左面パネル１２、奥面パネル１３、右面パネル１４を構成する断熱パネルについて、図４（ａ）（ｂ）により説明する。
【００１５】
図４（ａ）（ｂ）に示すように、各断熱パネル１１、１２、１３、１４は、柔軟性をもった断熱パネルから構成されている。そしてこれら各断熱パネル１１、１２、１３、１４は、いずれも一対のアルミ蒸着プラスチックシート５ａ、５ｂと、これら一対のアルミ蒸着プラスチックシート５ａ、５ｂ内に収納された発泡材６とを有する柔軟性をもった断熱パネルから構成されている。
【００１６】
また各断熱パネル１１、１２、１３、１４の一対のアルミ蒸着プラスチックシート５ａ、５ｂはその周縁部においてヒートシールされて、内部に収納された発泡材６が密閉される。
【００１７】
また、各断熱パネル１１、１２、１３、１４間は、アルミ蒸着プラスチックシート５ａ、５ｂの周縁部において、接着部７を介して互いに接着されている。
【００１８】
なお、各断熱パネル１１、１２、１３、１４を構成するアルミ蒸着プラスチックシート５ａ、５ｂとしては、アルミ蒸着のＰＥＴ、アルミ蒸着のＰＥ等を用いることができる。
【００１９】
さらにまた各断熱パネル１１、１２、１３、１４には、各々線状のぬい目９が設けられ、この線状のぬい目９によって後述する折畳線１１ａ、１２ａ、１３ａ、１４ａが形成されている。
【００２０】
次に保冷保温体１０について、図１および図２により更に説明する。
【００２１】
保冷保温体１０は上述のように、正面パネル１１、左面パネル１２、奥面パネル１３、右面パネル１４からなる立方体部分１０Ａを備えている。この立方体部分１０Ａは上下に形成された一対の開口１５、１６を有するとともに、立方体部分１０Ａを構成する正面パネル１１、左面パネル１２、奥面パネル１３、右面パネル１４はいずれも柔軟シートからなる正方形状の断熱パネルを含む。
【００２２】
このため、立方体部分１０Ａは一対の開口１５、１６を有する四角筒状体の形状をもつ。
【００２３】
また各断熱パネル１１、１２、１３、１４は上述のように正方形状をなし、各断熱パネル１１、１２、１３、１４には各々の対角線に沿って形成された折畳線１１ａ、１２ａ、１３ａ、１４ａが設けられている。そして各断熱パネル１１、１２、１３、１４に設けられた折畳線１１ａ、１２ａ、１３ａ、１４ａは、互いに交わることはない。
【００２４】
具体的には、図１に示すように各断熱パネル１１、１２、１３、１４の折畳線１１ａ、１２ａ、１３ａ、１４ａはいずれも各断熱パネル１１、１２、１３、１４上において左上方から右下方へ延びる対角線上に設けられ、各折畳線１１ａ、１２ａ、１３ａ、１４ａは互いに交わることはない。
【００２５】
このような構成からなる保冷保温体１０の立方体部分１０Ａは、９０°回転させて折畳線１１ａ、１２ａ、１３ａ、１４ａに沿って立方体部分１０Ａを折畳むことにより平坦状に折畳まれる（図１および図２参照）。
【００２６】
また立方体部分１０Ａの上方開口１５には、断熱材２５が設けられ、この断熱材２５により立方体部分１０Ａの断熱性が確保される。
【００２７】
他方、立方体部分１０Ａの下方開口１６は開口されたままとなっており、後述のようにこの下方開口１６からパレット３０上に配置された荷物３２上に保冷保温体１０を被せて、この保冷保温体１０により荷物３２を覆うことができる。
【００２８】
また、立方体部分１０Ａの各断熱パネル１１、１２、１３、１４間の境界にはジッパー２０が取付けられ、このジッパー２０により各断熱パネル１１、１２、１３、１４間の境界が開閉される。さらに、各断熱パネル１１，１２，１３，１４の内面下方部には、一対の磁石３５が設けられている。
【００２９】
次にこのような構成からなる本実施の形態の作用について説明する。
【００３０】
まず、図３に示すように、開口３２ａを有するパレット３０上に荷物３２が載置される。この場合、パレット３０の開口３２ａは、フォークリフトの把持アームが挿入される開口となっている。また、パレット３０は、硬質プラスチック製となっており、所望位置に磁性体（図示せず）が取り付けられている。
【００３１】
次に保冷保温体１０がパレット３０上の荷物３２を覆って配置される。この場合、保冷保温体１０はその下方開口１６から荷物３２上に被せられる。このことによりパレット３０上の荷物３２は保冷保温体１０により覆われて保冷保温される。
【００３２】
また立方体部分１０Ａの上方開口１５に断熱材２５が設けられているので、荷物３２を保冷保温体１０により効果的に断熱することができる。
【００３３】
ところで、図１において、パレット３０上の荷物３２に保冷保温体１０を被せる場合、各断熱パネル１１、１２、１３、１４間の境界に設けられたジッパー２０を下方から上方へ向かって開く。このことにより立方体部分１０Ａの下方部分を拡げることができ、荷物３２に保冷保温体１０を容易かつ確実に被せることができる。その後各断熱パネル１１、１２、１３、１４間の境界に設けられたジッパー２０を上方から下方へ向かって降ろしてジッパー２０を閉じる。次に、各断熱パネル１１，１２，１３，１４内面下方部に設けられた磁石３５をパレット３０に設けられた磁性体に吸着させ、各断熱パネル１１，１２，１３，１４をパレット３０に固定する。
【００３４】
その後、荷物３２から保冷保温体１０を取外す場合は、上述と逆方向に、すなわち荷物３２から保冷保温体１０を上方へ引上げる。
【００３５】
次に図１および図２に示すように、立方体部分１０Ａを断熱材２５に対して９０°回転させる。この場合、立方体部分１０Ａを回転させながら断熱材２５側へ接近させる。このことにより、立方体部分１０Ａの点Ａ１が点Ａ２に達し、点Ｂ１が点Ｂ２に達し、点Ｃ１が点Ｃ２に達し、点Ｄ１が点Ｄ２に達する。このようにして立方体部分１０Ａをねじりながらコンパクトに畳むことができる。
【００３６】
以上のように本実施の形態によれば、保冷保温体１０の立方体部分１０Ａを９０°回転させることにより、立方体部分１０Ａをねじりながらワンタッチで容易かつ簡単にコンパクトに畳むことができる。
【００３７】
＜他の実施の形態＞
次に図５（ａ）（ｂ）により、他の実施の形態について説明する。
【００３８】
上記実施の形態において、断熱パネル１１，１２，１３，１４に対して直交するぬい目９によって、折畳線１１ａ、１２ａ、１３ａ、１４ａを形成した例を示したが（図４（ａ）（ｂ）)、このぬい目９は必ずしもパネル１１，１２，１３，１４に対して直交していなくてもよい。図５（ａ）（ｂ）に示すように、パネル１１，１２，１３，１４の一部を下方から押圧し、これを摘まんで、Ｕ字部９Ａを形成する。そしてこのＵ字部９Ａに、パネル１１，１２，１３，１４と平行に延びるぬい目９を設けて、折畳線１１ａ、１２ａ、１３ａ、１４ａを形成してもよい。
【００３９】
また、上記実施の形態において、パレット３０と荷物３２の間に磁性体を取り付けた正方形のパネルを設置し、各断熱パネル１１、１２、１３、１４の磁石３５と固定させてもよい。
【符号の説明】
【００４０】
１０  保冷保温体
１０Ａ  立方体部分
１１  正面パネル
１１ａ  折畳線
１２  左面パネル
１２ａ  折畳線
１３  奥面パネル
１３ａ  折畳線
１４  右面パネル
１４ａ  折畳線
１５  上方開口
１６  下方開口
２０  ジッパー
２５  断熱材
３０  パレット
３２  荷物
【図１】
2017206303.tif 000003
【図２】
2017206303.tif 000004
【図３】
2017206303.tif 000005
【図４】
2017206303.tif 000006
【図５】
2017206303.tif 000007